(57)【特許請求の範囲】
【請求項１】
画像処理装置において実施する方法であって、
（ａ）入力画像を形成するグレースケール画像データである第１画像データを受け取るステップと、
（ｂ）前記第１画像データに対し高周波ブースト処理を実施して、第２画像データを生成するステップと、
（ｃ）前記第２画像データに直線補間処理を実施して、第２画像データの解像度より高い解像度をもつ第３画像データを生成するステップと、
（ｄ）前記第３画像データにコントラスト強調処理を実施して、第４画像データを生成するステップと、
（ｅ）前記第４画像データをしきい値処理して、出力画像を形成する２値画像データである第５画像データを生成するステップとから成り、
前記ステップ（ｄ）が、
前記第３画像データを用いて高階調度画像データを計算することと、
前記高階調度画像データから和の画像データを計算することと、
前記和の画像データから局所平均を計算することと、
前記局所平均からコントラスト強調関数を作ることと、
前記コントラスト強調関数を前記第３画像に適用することとから成る、
ことを特徴とする方法。
【請求項２】
請求項１に記載の方法において、前記高階調度画像を計算することがソーベル（Sobel）演算子を適用して前記高階調度画像データを生成することから成る、ことを特徴とする方法。
【請求項３】
画像処理システムにおいて、
（ａ）入力画像を形成するグレースケール画像データである第１画像データを受け取る手段と、
（ｂ）前記第１画像データに対し高周波ブースト処理を実施して、第２画像データを生成する手段と、
（ｃ）前記第２画像データに直線補間処理を実施して、第２画像データの解像度より高い解像度をもつ第３画像データを生成する手段と、
（ｄ）前記第３画像データにコントラスト強調処理を実施して、第４画像データを生成する手段と、
（ｅ）前記第４画像データをしきい値処理して、出力画像を形成する２値画像データである第５画像データを生成する手段とから成り、
前記手段（ｄ）が、
前記第３画像データを用いて高階調度画像データを計算することと、
前記高階調度画像データから和の画像データを計算することと、
前記和の画像データから局所平均を計算することと、
前記局所平均からコントラスト強調関数を作ることと、
前記コントラスト強調関数を前記第３画像に適用することとを実行する、
ことを特徴とする画像処理システム。
【発明の詳細な説明】
【０００１】
【産業上の利用分野】
本発明は、画像処理、より詳細には画像の画像強調としきい値処理を実施する技術に関するものである。
【０００２】
【従来の技術】
（ディジタル）電子形式で格納され、通信され、および（または）処理される画像（たとえば、テレビ会議システムにおいて見られるカメラからの画像）の質を向上させることが可能であることが望ましい多くの状況が存在する。さらに、ＥＰ−Ａ（ヨーロッパ特許出願公開：以下ＥＰ−Ａと略する）−６２２，７２２号や英国特許出願第９６１４６９４．９号に開示されている装置のようなオーバー・ザ・デスク型走査装置において文書の画像を効率的に高画質ビデオ走査するには、画質の向上が望ましい。これらの特許出願は、デスクの上方に配置されたビデオカメラを使用して、文書の画像をキャプチャーし、それをユーザーに表示するシステムを開示している。
【０００３】
上記の特許出願にかなり詳しく論じられているように、ビデオカメラを使用するオーバー・ザ・デスク型走査は伝統的な走査手法にまさる多くの利点を有している。
【０００４】
上記のシステムにおいて起きる問題は、どのようにドキュメントカメラからの画像をできるだけ原稿画像に近い形に変換するかである。上記のシステムに使用されたスキャナの明白な欠点は、既存のＴＶカメラの低い解像度である（４″×３″（１００ｍｍ×７５ｍｍ）（すなわち１ページの約１／４）のデスク・トップ・フットプリントの上に１００ｄｐｉ（ドット／インチ）（４ドット／ｍｍ）のグレースケールが得られるだけである）。
【０００５】
複雑さの度合いを変える多くのしきい値処理アルゴリズムが知られている。Mitchel. J. et.al.“Graphics Image Coding for Freeze-Frame Videoconferencing”,IEEE Trans. on Comms., Vol. 37, No. 5, May 1989  は、フリーズフレーム・テレビ会議のために文書の画像をコード化する問題を検討している。彼らは８ビット／画素（ｂｐｐ）の画像を３ｂｐｐの画像へマップして、高いコード化効率の目標を達成している。しかし、それらはより高解像度の２値画像を生成しない。
【０００６】
【発明が解決しようとする課題】
モルフォロジー演算（morphological operation)と連結構成要素分析を含む伝統的なドキュメント画像復号アルゴリズムを使用できるようにするには、高解像度の２値画像を生成することができる画像処理方法および装置が必要である。簡潔に言えば、たとえばデスクトップ環境においては文書の低解像度のグレースケール画像をより高解像度の２値画像へコンピュータで効率的に変換することが必要である。
【０００７】
【課題を解決するための手段】
本発明の画像処理装置において実施される方法は、（ａ）入力画像を定義するグレースケール画像データである第１画像データを受け取るステップと、（ｂ）前記第１画像データに対し高周波ブースト処理を実施して、第２画像データを生成するステップと、（ｃ）前記第２画像データに対し直線補間処理を実施して、第２画像データの解像度より高い解像度をもつ第３画像データを生成するステップと、（ｄ）前記第３画像データに対しコントラスト強調処理を実施して、第４画像データを生成するステップと、（ｅ）前記第４画像データをしきい値処理して、出力画像を定義する２値画像データである第５画像データを生成するステップから成る。
【０００８】
ステップ（ｄ）は前記第３画像データに Sobel  演算子を適用して、高階調度画像データ（ｇ（ｘ，ｙ））を生成するステップ（ｄ１）を含んでいることが好ましい。ステップ（ｄ）はさらに高階調度画像データ（ｇ（ｘ，ｙ））の部分和から和の画像データ（ｓ（ｘ，ｙ））を計算するステップ（ｄ２）を含んでいることが好ましい。和の画像データ（ｓ（ｘ，ｙ））は次式から計算することが好ましい。
ｓ（ｘ，ｙ）＝Σx i=0 Σy i=0 ｇ（ｉ，ｊ）
【０００９】
ステップ（ｄ）は、更に、第３画像データ（ｆ（ｘ，ｙ））の各画素データについて、画素データの局所平均（ｍ（ｘ，ｙ））に依存するコントラスト強調関数（ｅ（ｍ））を前記第３画像データに適用するステップ（ｄ３）を含んでいることが好ましい。ステップ（ｄ３）は、画素データの局所平均（ｍ（ｘ，ｙ））を計算するステップ（ｄ３ｉ）と、該局所平均に基づいてコントラスト強調関数（ｅ（ｍ））を作るステップ（ｄ３ii）と、コントラスト強調関数（ｅ（ｍ））を第３画像データに与えるステップ（ｄ３iii ）から成るのが好ましい。
【００１０】
本発明は、さらに、プロセッサ、メモリ、および入出力回路を備えていて、特許請求の範囲のどれかの方法を実施するため、すなわち本書に記載した例のどれかに従って、適当にプログラムされた時のプログラム可能な画像処理装置を提供する。
【００１１】
本発明は、解像度を大幅に、たとえば２００ｄｐｉ（８ドット／ｍｍ）に高めることができる手法を提供する。この解像度は低画質ファックスと同等であり、まずまずのＯＣＲや対話式テキスト選択には十分である。このやり方で、たとえば、画像をTextBridge (ゼロックス社から入手可能) のようなＯＣＲツールへ直かに渡すことができる。ＨＤＴＶ規格の出現は大型ＣＣＤカメラの価格を劇的に下げるであろうし、ＨＤＴＶ技術はよりすぐれた／より大きな画像を生み出すであろう。
【００１２】
本発明は、原文書の画像が色空間において２モード（一般に白黒）であり、かつデスク上の照明状態が指定許容範囲内にあるという仮定に立っている。これらの仮定の下で、解像度向上としきい値処理を同時に実施するために新規なアルゴリズムを使用している。このアルゴリズムは非常に効率的な局所平均技法を使用して、背景／前景しきい値の局所推定値を維持する。適応しきい値は、オーバー・ザ・デスク走査装置においてデスクを横切る大きな照明変化に適応させる場合より、高い空間周波数をキャプチャーする場合により重要であると考えられる。しかし、周囲の照明状態が極めて悪い場合は、この方法は、優雅な（適切な）やり方でグレードを落とす。
【００１３】
上述のように、本発明の手法は多くの応用分野に適用することができる。それらの中に、紙から電子領域へデータを便利に転送することができる独立型走査装置と、テレビ会議用の独立型走査装置が含まれる。ドキュメントカメラは既にありふれた道具であるが、その画像コード化アルゴリズムは一般にテキスト画像のためでなく、一般に低解像度の高フレームレート画像転送のために設計されているので、低画質の画像が生じることが多い。この問題は本発明によって解決される。
【００１４】
これらの技法によって可能になった高解像度ドキュメントカメラを使用して、役に立つ形式のペーパードキュメント・インタフェースを実現することができる。一方では、これらのドキュメントカメラは、特に送信するページ数が少ない時にファックスの代替装置として使用される。他方、テレビ会議用の共同制作ツールを開発することは可能である。ペーパーコピーはドキュメントカメラによって受信者へファックスされ、その後のすべての帯域幅は通信中のパーティの電子的注釈を表すカーソルの動きを送るために使用される。事実上、これは共用描画アプリケーションを提供する。しかし伝統的なホワイトボード背景の代わりに、ユーザーは討議中のペーパードキュメントのファックス画質の画像を見る。もちろん、適当な場合には、たとえば動き（話者の顔）あるいは３次元の形状（新規な構造または破損した部品）の理解が必要である場合には、ユーザーは多くの普通に見られるＴＶ解像度のカラービデオを交換するよう選択することができる。以下、添付図面を参照して例として本発明の実施例を説明する。
【００１５】
【発明の実施の形態】
以下、画像の画像強調としきい値処理のための技法について説明する。これらの技法が英国特許出願第９７１１０２２．５号に記載されているテキスト／画像を選択する技法と一緒に使用できることは理解されるであろう。
【００１６】
Ａ．  システムの構成
複数ビット／画素画像データから強調された２値画像データを生成することが必要などんなシステム又は応用にも、本発明に係る手法を使用できることは理解されるであろう。そのような例としては、テレビ会議システム、走査システム、多機能システム、同種のシステムがある。この分野で周知であるＰＣランニング Windows (登録商標) 、Ｍａｃランニング MacOS  あるいはマイクロコンピュータランニング UNIX を使用して、本発明を具体化できることは理解されるであろう。たとえば、ＰＣハードウェア構成は  The Art of Electronics, 2nd Edn, Ch. 10, P. Horowitz and W. Hill, Cambridge University Press, 1989  に詳しく論じられている。オーバー・ザ・デスク走査の場合には、本発明はＥＰ−Ａ−４９５，６２２号、ＥＰ−Ａ−６２２，７２２号、または英国特許出願第９６１４６９４．９号に記載されているシステムの一部を構成することができる。本発明は、ＩＢＭコンパチブルＰＣランニング Windows  ＮＴ上にＣ＋＋で具体化することができる。
【００１７】
Ｂ．  概要：画像強調としきい値処理
図１は、本発明に実施例に従って画像強調としきい値処理を実施するステップを示すフローチャートである。低解像度のグレースケール画像をより高解像度の２値画像へ変換するため使用される方法は、高周波ブーストを実施すること（ステップｓ１）、直線補間によって空間解像度を向上させること（ステップｓ２）、コントラスト強調を実施すること（ステップｓ３）及びしきい値処理をすること（ステップｓ４）の４段階プロセスとして最もよく記述することができる。
【００１８】
Ｂ．１  高周波ブースト（デコンボリューション）
図１のステップｓ１は原画像（グレースケール）データに高周波ブースト（すなわちデコンボリューション処理）を適用することを含む。これは周知のドキュメント画像処理手法（Gonzalez, R. C., Woods, R. E. “Digital Image Processing, ”Addison-Wesley 1992, pp 196, figure 1)  であり、次式で表すことができる。
0004201389.tif 000002
【００１９】
ここで手法は、原画像がバイモーダル（２モード形）であり、かつ原画像が点ひろがり関数（ｐｓｆ）を通してカメラ／フレームストア画像チャンネルによって画質が落ちているという事実を利用する。標準的な手法を使用して、ｐｓｆを推定した。その代わり、高周波ブースト（デコンボリューション）の強さを経験的に調整した。段階３で説明した非線形コントラスト強調ステップのために、この処理段階の潜在ノイズ増大特性は想像するほど重要でないことがわかる。図２は原画像の例を示す。図３はこの高周波ブースト（デコンボリューション）ステップの典型的な結果を示す。
【００２０】
Ｂ．２  直線補間による空間解像度
高周波ブースト（デコンボリューション）後、画像は直線補間処理（図１のステップｓ２）を受ける。この知られた技法を使用して、たとえば直線寸法当たりの画素数を２倍又は３倍にすることによって解像度を向上させることができる。空間解像度を２倍又は３倍にする簡単な線形計画を図７〜図９に示す。直線補間法は、 Jahne B., Digital Image Processing, Section 8.2.4, Springer-Verlag (1990)  に詳しく論じられている。図４に、この直線補間ステップ後の結果を示す。
【００２１】
Ｂ．３  コントラスト強調
ステップｓ２（図１）の直線補間後、画像はコントラスト強調（図１のステップｓ３）を受ける。図５に、コントラスト強調の結果を示す。コントラスト強調段階は次のＣ節で詳細に説明する。
【００２２】
Ｂ．４  しきい値処理
ステップｓ３（図１）のコントラスト強調後、画像はしきい値処理（ステップｓ４）を受け、その結果が図６に示される。このステップはこの分野で周知であり、１２８のしきい値（８ビット／画素の画像の場合）を用いて適当に実施される。このステップは、コントラスト強調がその仕事をしたという事実に依存している。画像の宛先によっては、このステップを行うことが必ずしも良いとは限らない。たとえば、もし画像を印刷することになっていれば、文字の周囲にグレースケールを残すことによって、テキストをより見やすくできる。もしＯＣＲまたはファックス送信が必要であれば、しきい値処理は一般に望ましい。
【００２３】
Ｃ．  コントラスト強調のための技法
図１０は、図１のコントラスト強調ステップを実施する場合に使用する部分ステップを示す。高周波ブーストの結果、この段階の画像はやや雑音が含む。この段階はこの雑音の多くを除去して、まさに２値に近い画像をもたらす。
【００２４】
我々はクリッピング関数ｅ（ｍ）を定義する。ここで、ｍは中央値である。そのまわりのグレーレベルの強度は黒色又は白色へ押しやられる。図１１は、ｍ＝１２８の場合のこの非線形コントラスト強調関数を示す。入力グレーレベルは１２８のまわりに拡張されている。図１２は、ある次元において雑音を含む平滑化されたエッジ特徴に対するクリッピング関数の効果を示す。図１３〜図１８は、図１０のコントラスト強調部分ステップの効果に対する、照明状態の変化の効果を示す。図１３〜図１５は原画像を示しており、図１６〜図１８はそれぞれコントラスト強調画像を示している。もし、コントラスト強調演算子ｅ（１２８）を画像に適用することになっていたならば、局所しきい値が１２８に近いとき、良い結果が得られたであろう（図１４参照）。しかしデスク上の照明状態が悪くかつ特殊性（図１３）または陰影（図１５）が存在するとき、この簡単な処理はまずい結果をもたらす。特殊性（図１３）の場合、テキストエッジの大部分が１２８よりかなり大きいグレースケールの近くに集中しているので、過度に単純化したコントラスト強調演算子は画素の大部分を白色へ押しやる（図１６）。同様に、陰影（図１５）の場合は、大部分のエッジは１２８よりかなり小さいグレースケールの近くに集中しているので、画像の大部分は、黒色へ押しやられる（図１８）。より良い結果を得るには、局所グレースケールに近くでコントラストを強調することが必要なことは明らかである。
【００２５】
図１０に戻って、コントラスト強調処理は、高階調度画像を計算するステップ（ｓ３１) で始まることがわかる。これは、入力画像データ（ここではｆ（ｘ，ｙ）すなわち先の直線補間ステップの出力）の上で Sobel  演算子をパスする技法によって行われる。 Sobel  演算子は、たとえば Jahne B., Digital Image Processing, Section 6.3.2, Springer-Verlag (1990)  に論じられている。大きな応答がある場合には、現在画素が戻される。応答が不感しきい値より小さくなると、黒色（すなわち０）が戻される。図１９及び２０は、高階調度画像を計算する図１０の部分ステップの効果を示す。図１９は、カメラで見た Trier  の論文(Trier, O. D., Jain, A. K.“Goal-Directed Evaluation of Binarization Methods, ”IEEE Trans. on PAMI Vol. 17 No. 12, December 1995 ) の一部の例を示す。ページのてかてかした性質は、画像がより明るくなる、特殊性をしばしば起こすことがある。図２０からわかるように、画像は高階調度をもつ画像の部分のみの原グレーレベルによって形成されており、そのほかの場所では、画像は黒色である。これは要求された高階調度画像を提供する。近寄って見れば、局所エッジ画素に対応するグレーレベルは特殊性の近くでより明るい。この画像から、局所エッジ値（その近くでコントラスト強調を実施する）が推定される。
【００２６】
再び図１０に戻って、高階調度画像のための画像データ（ｇ（ｘ，ｙ））は、和の画像を計算する別の処理を受ける（ステップｓ３２）。これには以下の計算が必要である。
Ｓ（ｘ，ｙ）＝Σx i=0 Σy j=0 ｇ（ｉ，ｊ）
これは図２１〜図２３を検討することによって理解することができる。図２１に示すように、和の画像Ｓ（ｘ，ｙ）は、図２０の画像から作ることができる。ここで、Ｓ（ｘ，ｙ）は、左および上の（ｘ，ｙ）までの長方形内の図２０の全画素の和であると定義される。図２２を参照すると、領域Ｎ×Ｎ内の平均高階調度画素を計算することが必要であり、図２３に示すように、これは和の画像から以下の式（１）によって計算することができる。
【００２７】
図１０に戻って、画像データ（Ｓ（ｘ，ｙ））は次の処理を受ける。すなわち、画像内の全画素についてループしている間に、必要なコントラスト強調ステップ（ｓ３４〜ｓ３６）が実行される。各画素ｆi について、高階調度画素の局所平均に対応するグレーレベルｍi の近くでコントラスト強調を実施しなければならない（ｅ（ｍ）は局所平均ｍ（ｘ，ｙ）によって決まる）。これは、図２０に示した画像から、部分和の方法を用いて計算される（ステップｓ３４）。部分和については、（１）Preparata, F. P., Shamos, M. I. “Computational Geometry, An Introduction,”Springer-Verlag, 1985 、または（２）Omohundo, S. M.,“Efficient Algorithms with neutral network behaviour,”Report No UIUCDS-R-87-133, Dept. Comp. Science, Univ. of IIlinois at Urbana-Champaign, April 1987 参照されたい。図２１〜図２３を参照すると、ｆi に近いＮ×Ｎ領域内の高階調度画素Ｓi の和は、以下の式（１）によって与えられる。
Ｓi ＝Ｓ（ｃ，ｄ）−Ｓ（ａ，ｄ）−Ｓ（ｃ，ｄ）＋Ｓ（ａ，ｂ）  （１）
ここで、Ｓ（ｘ，ｙ）は図２１に示した「和」の画像の要素である。同様な処理を実施して、ｇ（ｘ，ｙ）の２値バージョンから同様に計算される和の画像Ｎ（ｘ，ｙ）を含む領域Ｎi 内の高階調度画素の数を見つけることができる。明らかに、
ｍi ＝Ｓi ／Ｎi                                         （２）
である。これに関して重要な点は、和の画像が計算された後（これは全画像について一度だけ行われる）、丁度４つの加算（１）と１つの除算（２）によって任意のスケール（任意の領域サイズ）で高階調度画素の局所平均を計算することが可能なことである。これは非常に効率的な技法である。従って、画像の決められた画素について、コントラスト強調（クリッピング）関数ｅ（ｍ）を作ることができる（ステップｓ３５）。その後、この関数はｆ（ｘ，ｙ）（直線補間ステップから得られた画像の画素データ）に適用され、要求されたコントラスト強調画像が生成される。図２４〜図２９は局所適応コントラスト強調演算子ｅ（ｍi ）を使用する強調した画像品質を示す。図２４〜図２９は、図１３〜図１８に示した異なる照明状態の下の原画像と得られた画像に対応しており、図２４〜図２６は原画像を、図２７〜図２９はコントラスト強調した結果を示す。領域のサイズは元の解像度で７×７であるように選定した。図１３〜図１８の画像と対比して画質の向上は確かに明らかである。
【００２８】
コントラスト強調ステップについて明らかにすべき１つの最後の項目がある。すなわち、領域内に高階調度特徴が存在しないとき起きる事柄である。このケースでは、われわれは画像内の照明階調度が厳し過ぎないと仮定しているので、ｅ（１２８）を使用する。これは、以下に詳しく検討する。
【００２９】
Ｄ．  デグラデーション
高階調度特徴が存在しないときコントラストの強調をｅ（１２８）を用いて実行することは、要するに、１２８が、最も近いテキスト特徴からＮ画素以上離れた画像を解析しようとするとき使用する良いしきい値であると考えていることを意味する。ここでＮは局所近隣部分のサイズである。適応しきい値処理が実際に重要であるのは、高空間周波数が減衰され、白色が決して白色にならず（“ｅ”の小穴の白色は滅多に１２８以上にならない）、そして黒色が決して黒色にならない（“ｉ”の点の黒色は滅多に１２８未満にならない）テキストの真ん中だけであることを考慮に入れると、これは思われるほど悪い仮定ではない。不適切なしきい値処理が、特徴をマージしたり、見落とすことによってＯＣＲエラーを引き起こすことがあるのは、これらの状況においてである。
【００３０】
従って、これは、デスクを横切る許容照明階調度の厳しさに制約を課すことになる。図３０及び図３１は、その失敗モードを示しており、図３０は原画像であり、図３１はしきい値処理した画像である。白色背景は、１２８未満になると、黒色として間違って分類されることがわかる。しかし、テキストが画像の一番端の部分に存在すると、アルゴリズムは依然として正しく分類することができる。この意味で、アルゴリズムは適切に画質を落とすと信じられる。多くのＯＣＲアルゴリズムはこの人工物を連結構成要素レベルで除去することができる。
【００３１】
Ｅ．  典型的な処理
図３２及び図３３は、通常の照明状態の下での本発明に係る手法の典型的な結果を示しており、図３２は原画像を、図３３は２値画像を示す。図３４は、ゼロックス社の TextBridge を使用したときの、図３３の出力画像に対するＯＣＲの結果を示す。
【００３２】
本発明は、ドキュメントカメラに利用するテキスト／図形の高画質の２値画像を生成するために、グレースケール解像度と交換に空間解像度を得る効率的な方法を開示する。これらの２値画像は、印刷する、ＯＣＲする、ファックスする、または共同制作ドキュメント作業のための共用製図ツールの背景として使用することができる。
【図面の簡単な説明】
【図１】本発明の実施例に従って画像強調としきい値処理を実施する諸ステップを示すフローチャートである。
【図２】典型的な原画像と図１のフローチャートの画像の状態を示す図であり、原画像の例を示す図である。
【図３】典型的な原画像と図１のフローチャートの画像の状態を示す図であり、高周波ブースト（デコンボリューション）ステップの典型的な結果を示す図である。
【図４】典型的な原画像と図１のフローチャートの画像の状態を示す図であり、直線補間ステップ後の結果を示す図である。
【図５】典型的な原画像と図１のフローチャートの画像の状態を示す図であり、コントラスト強調の結果を示す図である。
【図６】典型的な原画像と図１のフローチャートの画像の状態を示す図であり、しきい値処理を受けた結果を示す図である。
【図７】図１の直線補間ステップを実施するための簡単な計画を示す図である。
【図８】図１の直線補間ステップを実施するための簡単な計画を示す図である。
【図９】図１の直線補間ステップを実施するための簡単な計画を示す図である。
【図１０】図１のコントラスト強調を実施する際に使用する部分ステップを示すフローチャートである。
【図１１】図１０のプロセスに使用したコントラスト強調関数を示す図である。
【図１２】図１０のプロセスに使用したコントラスト強調関数の効果を示す図である。
【図１３】図１０のコントラスト強調部分ステップの効果に対する照明状態の変化の効果を示す図である。
【図１４】図１０のコントラスト強調部分ステップの効果に対する照明状態の変化の効果を示す図である。
【図１５】図１０のコントラスト強調部分ステップの効果に対する照明状態の変化の効果を示す図である。
【図１６】図１０のコントラスト強調部分ステップの効果に対する照明状態の変化の効果を示す図である。
【図１７】図１０のコントラスト強調部分ステップの効果に対する照明状態の変化の効果を示す図である。
【図１８】図１０のコントラスト強調部分ステップの効果に対する照明状態の変化の効果を示す図である。
【図１９】高階調度画像を計算する図１０の部分ステップの効果を示す図である。
【図２０】高階調度画像を計算する図１０の部分ステップの効果を示す図である。
【図２１】図１０の部分ステップに使用した部分和の方法を示す図である。
【図２２】図１０の部分ステップに使用した部分和の方法を示す図である。
【図２３】図１０の部分ステップに使用した部分和の方法を示す図である。
【図２４】図１０に示した適応コントラスト強調を使用した場合の、図１３〜図１８に類似する画像を示す図であり、原画像を示す図である。
【図２５】図１０に示した適応コントラスト強調を使用した場合の、図１３〜図１８に類似する画像を示す図であり、原画像を示す図である。
【図２６】図１０に示した適応コントラスト強調を使用した場合の、図１３〜図１８に類似する画像を示す図であり、原画像を示す図である。
【図２７】図１０に示した適応コントラスト強調を使用した場合の、図１３〜図１８に類似する画像を示す図であり、コントラスト強調した画像を示す図である。
【図２８】図１０に示した適応コントラスト強調を使用した場合の、図１３〜図１８に類似する画像を示す図であり、コントラスト強調した画像を示す図である。
【図２９】図１０に示した適応コントラスト強調を使用した場合の、図１３〜図１８に類似する画像を示す図であり、コントラスト強調した画像を示す図である。
【図３０】非常にまずい照明状態の下での本発明に係る手法の処理に対する影響を示す図であり、原画像を示す図である。
【図３１】非常にまずい照明状態の下での本発明に係る手法の処理に対する影響を示す図であり、しきい値処理した画像を示す図である。
【図３２】通常の照明状態の下での本発明に係る手法の典型的な結果を示す図であり、原画像を示す図である。
【図３３】通常の照明状態の下での本発明に係る手法の典型的な結果を示す図であり、２値画像を示す図である。
【図３４】図１１の出力画像に対するＯＣＲの結果を示す図である。
【図１】
0004201389.tif 000003
【図２】
0004201389.tif 000004
【図３】
0004201389.tif 000005
【図４】
0004201389.tif 000006
【図５】
0004201389.tif 000007
【図６】
0004201389.tif 000008
【図７】
0004201389.tif 000009
【図８】
0004201389.tif 000010
【図９】
0004201389.tif 000011
【図１０】
0004201389.tif 000012
【図１１】
0004201389.tif 000013
【図１２】
0004201389.tif 000014
【図１３】
0004201389.tif 000015
【図１４】
0004201389.tif 000016
【図１５】
0004201389.tif 000017
【図１６】
0004201389.tif 000018
【図１７】
0004201389.tif 000019
【図１８】
0004201389.tif 000020
【図１９】
0004201389.tif 000021
【図２０】
0004201389.tif 000022
【図２１】
0004201389.tif 000023
【図２２】
0004201389.tif 000024
【図２３】
0004201389.tif 000025
【図２４】
0004201389.tif 000026
【図２５】
0004201389.tif 000027
【図２６】
0004201389.tif 000028
【図２７】
0004201389.tif 000029
【図２８】
0004201389.tif 000030
【図２９】
0004201389.tif 000031
【図３０】
0004201389.tif 000032
【図３１】
0004201389.tif 000033
【図３２】
0004201389.tif 000034
【図３３】
0004201389.tif 000035
【図３４】
0004201389.tif 000036